(57)【要約】【課題】ヘッドセットの種類に応じて自動的に送話器回路の増幅度を切り替えると共に、通信機器の電源電圧以下で動作することが可能なヘッドセットインタフェース回路を提供する。【解決手段】ヘッドセット１６の送話器１６ｔの動作電流の検出に、電源電圧３．３［ｖ］以下の電圧で動作するコンパレータ１９１を使用することで、ヘッドセットインタフェース回路１７を電源電圧３．３［ｖ］以下で動作させることができるようにした。また、検出されたヘッドセット１６の送話器１６ｔの動作電流に応じて、１段のデカップリングコンデンサＣ９と２段のデカップリングコンデンサＣ３，Ｃ９とを切り替えて、接続されるヘッドセット１６の種類に応じて電源Ｖ１からのノイズ混入を防止できるようにした。【選択図】      図２
2011139153.tif 000002
【特許請求の範囲】
【請求項１】
所定の電源電圧で動作しハンドセットにより通話を行なうための通信機器に対し互いに種類が異なる複数のヘッドセットを選択的に接続し、かつ前記通信機器に対し前記複数のヘッドセットの送話器からの出力信号を互いに増幅度が異なる複数の増幅器にて選択的に増幅して供給するためのヘッドセットインタフェース回路において、
前記電源電圧以下の電圧で動作するコンパレータにて前記ヘッドセットの送話器の動作電流を検出する検出手段と、
この検出手段による検出結果に基づいて、前記増幅器を切り替える増幅器切替手段とを具備したことを特徴とするヘッドセットインタフェース回路。
【請求項２】
前記複数のヘッドセットに対応して、前記ヘッドセットの送話器の動作電流に対し前記電源からのノイズ混入を防止する複数のデカップリングコンデンサと、
前記検出手段による検出結果に基づいて、前記複数のデカップリングコンデンサを切り替えるデカップリング切替手段とをさらに備えたことを特徴とする請求項１記載のヘッドセットインタフェース回路。
【請求項３】
前記デカップリング切替手段は、
前記検出手段による検出結果に基づいて、自動的に前記複数のデカップリングコンデンサを切り替える第１のモードと、
前記検出手段による検出結果をユーザに報知し、この報知に対しユーザが切替指示を入力した場合に前記複数のデカップリングコンデンサを切り替える第２のモードと、
ユーザのモード指定操作に基づいて、前記第１及び第２のモードを選択的に実行するモード選択制御手段とを備えたことを特徴とする請求項２記載のヘッドセットインタフェース回路。
【請求項４】
前記複数の増幅器のうち最高の増幅度の増幅器の入力端に接続され、前記ヘッドセットの送話器の動作電流に対し前記ハンドセットからの信号ノイズ混入を低減するバランス回路と、
前記検出手段による検出結果に基づいて、前記増幅器の入力端と前記バランス回路との接続・開放を切り替えるバランス切替手段とをさらに備えたことを特徴とする請求項１記載のヘッドセットインタフェース回路。
【請求項５】
前記バランス切替手段は、
前記検出手段による検出結果に基づいて、自動的に前記増幅器の入力端と前記バランス回路との接続・開放を切り替える第１のモードと、
前記検出手段による検出結果をユーザに報知し、この報知に対しユーザが切替指示を入力した場合に前記増幅器の入力端と前記バランス回路との接続・開放を切り替える第２のモードと、
ユーザのモード指定操作に基づいて、前記第１及び第２のモードを選択的に実行するモード選択制御手段とを備えたことを特徴とする請求項４記載のヘッドセットインタフェース回路。
【発明の詳細な説明】
【技術分野】
【０００１】
この発明は、電話機等の通信機器に用いられるヘッドセットを接続するためのヘッドセットインタフェース回路に関する。
【背景技術】
【０００２】
音声通話（送話と受話）を行う電話機は、ハンドセットで通話するほか、両手が自由な状態で通話できることを目的としたヘッドホンやイヤホンにマイクをつけたようなヘッドセットを接続して通話することが可能である。
【０００３】
このヘッドセットには、送受話器の感度、動作電流等の異なる製品が多数ある。これらの異なるヘッドセットを使用する場合は、異なる複数のヘッドセットインタフェース回路を有し取り替えて使用するか、または切替スイッチを有するヘッドセットインタフェース回路とし切替スイッチで切り替えて使用する必要がある。
【０００４】
なお、従来では、ヘッドセットの送話器の動作電流を検出し、検出した動作電流により送話器の増幅度を切り替えるヘッドセットインタフェース回路も提案されている（例えば、特許文献１）。
【先行技術文献】
【特許文献】
【０００５】
【特許文献１】特開２００１−２３７９４６号公報
【発明の概要】
【発明が解決しようとする課題】
【０００６】
ところで、上記ヘッドセットインタフェース回路では、トランジスタを２個使用したサイリスタ動作を行う構成であるため、動作電圧が５［ｖ］程度必要となる。近時では、ＩＰ(Internet Protocol)電話機等も普及しており、電源電圧も３．３[ｖ]となり省電力化の方向にある。このため、動作電圧が３．３[ｖ]以下となるヘッドセットインタフェース回路が強く望まれている。
【０００７】
この発明の目的は、ヘッドセットの種類に応じて自動的に送話器回路の増幅度を切り替えると共に、通信機器の電源電圧以下で動作することが可能なヘッドセットインタフェース回路を提供することにある。
【課題を解決するための手段】
【０００８】
上記目的を達成するために、この発明に係るヘッドセットインタフェース回路は、所定の電源電圧で動作する通信機器に対し互いに種類が異なる複数のヘッドセットを選択的に接続し、かつ通信機器に対し複数のヘッドセットの送話器からの出力信号を互いに増幅度が異なる複数の増幅器にて選択的に増幅して供給するためのヘッドセットインタフェース回路において、電源電圧以下の電圧で動作するコンパレータにてヘッドセットの送話器の動作電流を検出する検出手段と、この検出手段による検出結果に基づいて、前記増幅器を切り替える増幅器切替手段とを備えるようにしたものである。
【０００９】
この構成によれば、ヘッドセットの送話器の動作電流の検出に、電源電圧以下の電圧で動作するコンパレータを使用することで、ヘッドセットインタフェース回路を電源電圧以下で動作させることができ、通信機器全体の電源回路を統一でき、回路構成を簡略化できる。
【００１０】
また、この発明に係るヘッドセットインタフェース回路は、複数のヘッドセットに対応して、ヘッドセットの送話器の動作電流に対し電源からのノイズ混入を防止する複数のデカップリングコンデンサと、検出手段による検出結果に基づいて、複数のデカップリングコンデンサを切り替えるデカップリング切替手段とをさらに備えるようにしたものである。
【００１１】
この構成によれば、検出されたヘッドセットの送話器の動作電流に応じて、デカップリングコンデンサを切り替えることにより、接続されるヘッドセットの種類に応じて電源からのノイズ混入を防止できる。
【００１２】
また、この発明に係るヘッドセットインタフェース回路において、デカップリング切替手段は、検出手段による検出結果に基づいて、自動的に複数のデカップリングコンデンサを切り替える第１のモードと、検出手段による検出結果をユーザに報知し、この報知に対しユーザが切替指示を入力した場合に複数のデカップリングコンデンサを切り替える第２のモードと、ユーザのモード指定操作に基づいて、第１及び第２のモードを選択的に実行するモード選択制御手段とを備えるようにしたものである。
【００１３】
この構成によれば、ユーザがモード指定操作を行なうことで、デカップリングコンデンサを自動で切り替えたり、手動で切り替えたりすることができ、最適なデカップリングコンデンサの切り替えを実現でき、ヘッドセットインタフェース回路の低電圧化に有効となる。
【００１４】
また、この発明に係るヘッドセットインタフェース回路において、複数の増幅器のうち最高の増幅度の増幅器の入力端に接続され、ヘッドセットの送話器の動作電流に対しハンドセットからの信号ノイズ混入を低減するバランス回路と、検出手段による検出結果に基づいて、増幅器の入力端とバランス回路との接続・開放を切り替えるバランス切替手段とを備えるようにしたものである。
【００１５】
この構成によれば、感度の低い増幅器のみをバランス回路入力とすることによりハンドセットからの信号ノイズの低減を図ることができ、さらに低電圧化に有効となる。
【発明の効果】
【００１６】
以上のようにこの発明によれば、ヘッドセットの種類に応じて自動的に送話器回路の増幅度を切り替えると共に、通信機器の電源電圧以下で動作することが可能なヘッドセットインタフェース回路を提供することができる。
【図面の簡単な説明】
【００１７】
【図１】この発明に係る電話機の第１の実施形態を示すブロック構成図。
【図２】上記図１に示したヘッドセットインタフェース回路の詳細な回路構成を示す図。
【図３】同第１の実施形態における電流検出回路の電圧、電流特性（ヒステリシス特性）を示す図。
【図４】この発明の第２の実施形態に係わるヘッドセットインタフェース回路の詳細な回路構成を示す図。
【図５】この発明の第３の実施形態に係わる制御部の制御処理手順を示すフローチャート。
【発明を実施するための形態】
【００１８】
以下、この発明の実施形態について図面を参照して詳細に説明する。  
（第１の実施形態）  
図１は、この発明に係る電話機の一実施形態を示す回路構成図である。
【００１９】
図１において、符号１は電話機本体で、伝送部１１、通話処理部１２、制御部１３、操作パネル部１４、ハンドセット１５、ヘッドセット１６、ヘッドセットインタフェース回路１７を有している。
【００２０】
伝送部１１は、外部の機器との間で伝送により種々のデータの授受を行なう。また、伝送部１１は、外部の機器から送られてきた伝送信号中から通話信号や制御信号を抽出し、通話信号を通話処理部１２へ、制御信号を制御部１３へとそれぞれ与える。さらに伝送部１１は、通話処理部１２や制御部１３から与えられるシリアルデータ信号を時分割多重して伝送信号を生成し、送信する。
【００２１】
通話処理部１２は、伝送部１１から与えられる通話信号に含まれる通話データを取り出して、この通話データからアナログの受話音声信号を再生する。そして、通話処理部１２は、この再生した受話音声信号によりハンドセット１５またはヘッドセット１６の受話器を駆動し、受話音声の出力を行なわせる。また、通話処理部１２には、ハンドセット１５またはヘッドセット１６の送話器で生成されたアナログの送話音声信号が入力される。通話処理部１２は、この送話音声信号を所定形態の通話信号に変換して、伝送部１１へと与える。
【００２２】
制御部１３は、ＣＰＵ、ＲＯＭ、ＲＡＭなどを有して構成され、ソフトウェア処理により本電話機１の各部の制御を行なう。また、制御部１３は、電源部２０から供給される電源電圧３．３［ｖ］で動作する。
【００２３】
操作パネル部１４は、ＬＣＤ（Liquid Crystal Display）等の表示部１４１と、キー入力部１４２とを備えている。表示部１４１には、制御部１３から出力された自装置の動作状態を表す種々情報、電話帳なども表示される。
【００２４】
ヘッドセット１６側には、通話処理部１２とヘッドセット１６との間にヘッドセットインタフェース回路１７が設けられる。ヘッドセット１６としては、複数種類、例えば２種類のヘッドセットを選択的に使用する。
【００２５】
このヘッドセットインタフェース回路１７には、２種類のヘッドセット１６に対応するため、２つの増幅器ＡＭＰ１，ＡＭＰ２と、これらを切り替えるスイッチＳＷａからなる増幅回路１８と、電流検出回路１９が設けられる。電流検出回路１９でヘッドセット１６の動作電流を検出し、動作電流に応じて、スイッチＳＷａに切り替えのための制御信号を出力し、増幅器ＡＭＰ１，ＡＭＰ２を切り替えることによりヘッドセット１６の送話器の増幅度を切り替える。
【００２６】
ヘッドセット１６として、エレクトレットタイプとカーボンタイプとを選択的に使用する場合、カーボンタイプに比べエレクトレットタイプの方がバイアス電流は少なくてすみ送話感度が低い。従って、電流検出回路１９でヘッドセット１６の送話器の動作電流を検出し、エレクトレットタイプの場合は増幅度の大きい増幅器ＡＭＰ２に切り替えるように、またバイアス電流も小さくなるように切り替える制御を行う。また、カーボンタイプの場合は増幅度の小さい増幅器ＡＭＰ１に切り替えるように、またバイアス電流も大きくなるように切り替える制御を行う。
【００２７】
図２は、上記ヘッドセットインタフェース回路１７の詳細な回路構成を示している。
【００２８】
同図において、Ｖ１は電源、ＨＯＯＫ２はオフフック信号出力端子、Ｔｏｕｔは送話器出力端子、Ｒｉｎは受話器入力端子である。
【００２９】
電流検出回路１９は、動作電流を検出し、電源電圧３．３［ｖ］以下の電圧で動作するコンパレータ１９１を有する。符号３１は、オフフック検出用のコンパレータである。
【００３０】
符号３０は、ヘッドセット１６の種類に対応して、ヘッドセット１６の送話器１６ｔの動作電流に対し電源Ｖ１からのノイズ混入を防止する２段構成のデカップリング回路３０である。このデカップリング回路３０は、Ｒ６及びＣ９、Ｒ２９及びＣ３のＣＲフィルターを構成する。トランジスタＱ１８は、負荷抵抗切り替えとデカップリング回路３０の切り替えを兼用する。
【００３１】
次に、この動作について説明する。  
送話器１６tが接続されたことを検出し、またはｓｗ付のヘッドセットを使用すると、コンパレータ３１からオフフック信号（Ｈレベル）がオフフック信号出力端子ＨＯＯＫ２に出力される。
【００３２】
ヘッドセット１６の送話器１６ｔがエレクトレットタイプの場合は、動作電流が小さいため、トランジスタＱ１８はオフの状態で、１ｍＡ以下の小さいバイアス電流で動作し、コンパレータ１９１とＲ２７，Ｒ２８，Ｒ１３でヒステリシスコンパレータを構成する。エレクトレット接続時に送話器１６ｔに、１ｍＡ以下の動作電流が流れる。図３でヒステリシスコンパレータ入力は２ｍＡ以下の為Ａ−Ｃ線上の１ｍＡで約３Ｖが入力され、コンパレータ１９１の出力はＨ（ハイ）になる。すると、トランジスタＱ１８はオフ、スイッチＳＷａは増幅器ＡＭＰ２に接続される。送話器１６ｔからの送話信号は信号負荷抵抗Ｒ２９で終端され、コンデンサＣ１０、増幅器ＡＭＰ２を介して出力端子Ｔｏｕｔに出力される。
【００３３】
なお、Ｒ４６、Ｒ４７は、カーボン接続時のゲインを決めている抵抗である。ゲインは、R46/R47=10K/10K＝１となる。
【００３４】
このとき、コンパレータ１９１から出力される制御信号は、デカップリング回路３０のトランジスタＱ１８に供給される。しかし、トランジスタＱ１８に供給される電圧が０．０５［ｖ］と小さいため、トランジスタＱ１８はオフ状態となる。このオフ状態であるとき、デカップリングコンデンサＣ９は蓄積された電流を負荷抵抗Ｒ２９に供給し、デカップリングコンデンサＣ３は蓄積された電流を負荷抵抗Ｒ４１に供給することにより、電源Ｖ１からの直流電圧を安定化する。これにより、ヘッドセット１６の送話器１６ｔの動作電流に対する電源Ｖ１からのノイズ混入が防止される。
【００３５】
一方、ヘッドセット１６の送話器１６ｔがカーボンタイプの場合は、４ｍＡ以上の動作電流が流れる。図３でヒステリシスコンパレータ入力は２ｍＡ以上のため、Ｂ−Ｄ線上の２ｍＡで約３．２Ｖが入力され、コンパレータ１９１の出力はＬ（ロー）になる。すると、トランジスタＱ１８はオン、スイッチＳＷａは増幅器ＡＭＰ１に接続される。送話器１６ｔからの送話信号は信号負荷抵抗Ｒ２９、Ｒ４１、Ｒ１１で終端され、Ｃ１０、増幅器ＡＭＰ１を介して出力端子Ｔｏｕｔに出力される。
【００３６】
このとき、コンパレータ１９１から出力される制御信号は、デカップリング回路３０のトランジスタＱ１８に供給される。トランジスタＱ１８に供給される電圧が０．６５［ｖ］と大きいため、トランジスタＱ１８はオン状態となる。トランジスタＱ１８がオン状態のとき、Ｒ１１、Ｒ２９及びＲ４１が負荷抵抗となる。
【００３７】
このオン状態であるとき、デカップリングコンデンサＣ９は蓄積された電流を負荷抵抗Ｒ２９及びＲ１１に供給することにより、電源Ｖ１からの直流電圧を安定化する。
【００３８】
なお、上記コンパレータ１９１は、図３に示すように、動作電流が増加してエレクトレットタイプからカーボンタイプに切り替える電流値と、電流が減少してカーボンタイプからエレクトレットタイプに切り替える電流値とが異なり、ヒステリシス特性を有している。このように、ヒステリシス特性を有することにより、不必要に切り替え動作が行われて動作が不安定となることを防止することができる。
【００３９】
以上のように上記第１の実施形態によれば、ヘッドセット１６の送話器１６ｔの動作電流の検出に、電源電圧３．３［ｖ］以下の電圧で動作するコンパレータ１９１を使用することで、ヘッドセットインタフェース回路１７を電源電圧３．３［ｖ］以下で動作させることができ、電話機１全体の電源回路を統一でき、回路構成を簡略化できる。
【００４０】
また、上記第１の実施形態によれば、検出されたヘッドセット１６の送話器１６ｔの動作電流に応じて、１段のデカップリングコンデンサＣ９と２段のデカップリングコンデンサＣ３，Ｃ９とを切り替えることにより、接続されるヘッドセット１６の種類に応じて電源Ｖ１からのノイズ混入を防止できる。
【００４１】
（第２の実施形態）  
この発明の第２の実施形態は、増幅器のうち増幅度の高い増幅器の入力端に、ハンドセットからの信号ノイズ混入を低減するバランス回路を接続するようにしたものである。
【００４２】
図４は、この第２の実施形態に係るヘッドセットインタフェース回路１７の詳細な回路構成を示している。なお、図４において、上記図２と同一部分には同一符号を付して、詳細な説明を省略する。
【００４３】
増幅器ＡＭＰ２の入力端には、バランス回路４０が設けられる。さらに、増幅器ＡＭＰ２に対するバランス回路４０の出力のオン／オフを切り替えるトランジスタＱ２３を有している。
【００４４】
次に、この動作について説明する。  
ヘッドセット１６の送話器１６ｔが駆動すると、コンパレータ３１からオフフック信号（Ｈレベル）がオフフック信号出力端子ＨＯＯＫ２に出力される。
【００４５】
ヘッドセット１６の送話器１６ｔがエレクトレットタイプの場合は、動作電流が小さいため、トランジスタＱ１８，Ｑ２３はオフの状態で、エレクトレット接続時に送話器１６ｔに、１ｍＡ以下の動作電流が流れる。ヒステリシスコンパレータ入力は２ｍＡ以下の為図３のＡ−Ｃ線上の１ｍＡで約３Ｖが入力され、コンパレータ１９１の出力はＨ（ハイ）になる。すると、トランジスタＱ１８はオフ、スイッチＳＷａは増幅器ＡＭＰ２に接続される。送話器１６ｔからの送話信号は信号負荷抵抗Ｒ２９で終端され、コンデンサＣ１０、増幅器ＡＭＰ２を介して出力端子Ｔｏｕｔに出力される。
【００４６】
このとき、コンパレータ１９１から出力される制御信号は、デカップリング回路３０のトランジスタＱ１８，Ｑ２３に供給される。しかし、トランジスタＱ１８，Ｑ２３に供給される電圧が０．０５［ｖ］と小さいため、トランジスタＱ１８，Ｑ２３はオフ状態となる。このオフ状態であるとき、バランス回路４０のトランジスタＱ２２もオフ状態となり、増幅器ＡＭＰ２の入力端子には、バランス回路４０からの出力信号が入力されなくなる。
【００４７】
一方、ヘッドセット１６の送話器１６ｔがカーボンタイプの場合は、４ｍＡ以上の動作電流が流れる。ヒステリシスコンパレータ入力は２ｍＡ以上のため、図３のＢ−Ｄ線上の２ｍＡで約３．２Ｖが入力され、コンパレータ１９１の出力はＬ（ロー）になる。すると、トランジスタＱ１８はオン、スイッチＳＷａは増幅器ＡＭＰ１に接続される。送話器１６ｔからの送話信号は信号負荷抵抗Ｒ２９、Ｒ４１、Ｒ１１で終端され、Ｃ１０、増幅器ＡＭＰ１を介して出力端子Ｔｏｕｔに出力される。
【００４８】
このとき、コンパレータ１９１から出力される制御信号は、トランジスタＱ１８，Ｑ２３に供給される。トランジスタＱ１８，Ｑ２３に供給される電圧が０．６５［ｖ］と大きいため、トランジスタＱ１８，Ｑ２３はオン状態となる。トランジスタＱ１８がオン状態のとき、Ｒ１１、Ｒ２９及びＲ４１が負荷抵抗となる。
【００４９】
このオン状態であるとき、トランジスタＱ２３からの出力信号がバランス回路４０のトランジスタＱ２２に供給されることになり、これによりトランジスタＱ２２はオン状態となる。トランジスタＱ２２がオン状態となったことにより、送話器１６ｔの出力信号がバランス回路４０によりハンドセット１５からの信号ノイズ混入が低減されて増幅器ＡＭＰ２の入力端に供給される。
【００５０】
以上のように上記第２の実施形態によれば、感度の低い増幅器ＡＭＰ２のみバランス回路４０からの信号を入力することにより、ハンドセット１５からの信号ノイズの低減を図ることができ、さらに低電圧化に有効となる。
【００５１】
（第３の実施形態）  
この発明の第３の実施形態は、デカップリングコンデンサＣ３，Ｃ９の１段構成と２段構成との切り替えを手動により行えるようにしたものである。
【００５２】
図５は、デカップリングコンデンサＣ３，Ｃ９の１段構成と２段構成との切り替えを実行する制御部１３の制御手順を示すフローチャートである。
【００５３】
制御部１３は、コンパレータ１９１によるヘッドセット１６の送話器１６ｔの動作電流の検出結果をヘッドセットインタフェース回路１７から受信すると（ステップＳＴ５ａ）、デカップリング回路３０の切替時か否かを判定し、切替時の場合には、ステップＳＴ５ｂで切替時の旨のメッセージを操作パネル部１４の表示部１４１に供給して表示させる。
【００５４】
この状態でユーザが、デカップリングコンデンサＣ３，Ｃ９の１段構成と２段構成とを切り替えるべくキー入力部１４２において切替指示を入力したとする。そうすると制御部１３はステップＳＴ５ｃからステップＳＴ５ｄに移行してここでデカップリングコンデンサＣ３，Ｃ９を１段構成から２段構成、または２段構成から１段構成への切り替えを実行する。
【００５５】
なお、上記ステップＳＴ５ｃにおいて、ユーザが所定時間経過しても切替指示を入力しなかった場合には、処理を終了する。
【００５６】
このように上記第３の実施形態によれば、デカップリングコンデンサＣ３，Ｃ９の１段構成と２段構成との切替時を表示部１４１に表示し、ユーザの指示を待ってデカップリングコンデンサＣ３，Ｃ９の１段構成と２段構成との切り替えを行うようにしている。このため、デカップリングコンデンサＣ３，Ｃ９の１段構成と２段構成との切替時であっても、現時点で切り替える必要がない場合には切り替えずに済み、ヘッドセットインタフェース回路の消電力化に有効となる。
【００５７】
（その他の実施形態）  
この発明は、上記各実施形態に限定されるものではない。例えば上記第３の実施形態において、デカップリングコンデンサの切り替え時に自動的に切り替えるモードと、ユーザによる切替指示の入力を待って切り替えるモードとの両方を備え、ユーザの選択指示に従いこれらのモードを選択的に動作させるようにしてもよい。
【００５８】
また、上記第３の実施形態を上記第２の実施形態に適用するようにしてもよい。また、バランス回路入力とアンバランス入力とを自動的に切り替えるモードと、ユーザによる切替指示の入力を待って切り替えるモードとの両方を備え、ユーザの選択指示に従いこれらのモードを選択的に動作させるようにしてもよい。
【００５９】
また、上記各実施形態では、デカップリング回路３０とバランス回路４０とを共に備える例について説明したが、電流検出回路１９のコンパレータ１９１により増幅器ＡＭＰ１，ＡＭＰ２を切り替える構成のみであってもよい。
【００６０】
また、上記第１の実施形態では、デカップリングコンデンサの段数を切り替える例について説明したが、複数のデカップリングコンデンサのどちらか一方の切り替えであってもよい。
【００６１】
その他、電話機以外の電子機器や、ヘッドセットインタフェース回路の回路構成等についても、この発明の要旨を逸脱しない範囲で種々変形して実施できる。
【符号の説明】
【００６２】
１…電話機、１１…伝送部、１２…通話処理部、１３…制御部、１４…操作パネル部、１４１…表示部、１４２…キー入力部、１５…ハンドセット、１６…ヘッドセット、１７…ヘッドセットインタフェース回路、１８…増幅回路、１９…電流検出回路、３０…デカップリング回路、４０…バランス回路、１９１…コンパレータ、ＡＭＰ１，ＡＭＰ２…増幅器。
【図１】
2011139153.tif 000003
【図２】
2011139153.tif 000004
【図３】
2011139153.tif 000005
【図４】
2011139153.tif 000006
【図５】
2011139153.tif 000007
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
所定の電源電圧で動作しハンドセットにより通話を行なうための通信機器に対し、互いに種類が異なる複数のヘッドセットを選択的に接続する接続手段と、
互いに増幅度が異なり、前記通信機器に対し前記接続手段に接続されるヘッドセットの送話器からの出力信号を選択的に増幅して供給する複数の増幅器と、
前記電源電圧以下の電圧で動作するコンパレータにて前記ヘッドセットの送話器の動作電流を検出する検出手段と、
この検出手段による検出結果に基づいて、前記増幅器を切り替える増幅器切替手段とを具備するヘッドセットインタフェース回路。
【請求項２】
前記複数のヘッドセットに対応して、前記ヘッドセットの送話器の動作電流に対し前記電源からのノイズ混入を防止する複数のデカップリングコンデンサと、
前記検出手段による検出結果に基づいて、前記複数のデカップリングコンデンサを切り替えるデカップリング切替手段とをさらに備える請求項１記載のヘッドセットインタフェース回路。
【請求項３】
前記デカップリング切替手段は、
前記検出手段による検出結果に基づいて、自動的に前記複数のデカップリングコンデンサを切り替える第１のモードと、
前記検出手段による検出結果をユーザに報知し、この報知に対しユーザが切替指示を入力した場合に前記複数のデカップリングコンデンサを切り替える第２のモードと、
ユーザのモード指定操作に基づいて、前記第１及び第２のモードを選択的に実行するモード選択制御手段とを備える請求項２記載のヘッドセットインタフェース回路。
【請求項４】
前記複数の増幅器のうち最高の増幅度の増幅器の入力端に接続され、前記ヘッドセットの送話器の動作電流に対し前記ハンドセットからの信号ノイズ混入を低減するバランス回路と、
前記検出手段による検出結果に基づいて、前記増幅器の入力端と前記バランス回路との接続・開放を切り替えるバランス切替手段とをさらに備える請求項１記載のヘッドセットインタフェース回路。
【請求項５】
前記バランス切替手段は、
前記検出手段による検出結果に基づいて、自動的に前記増幅器の入力端と前記バランス回路との接続・開放を切り替える第１のモードと、
前記検出手段による検出結果をユーザに報知し、この報知に対しユーザが切替指示を入力した場合に前記増幅器の入力端と前記バランス回路との接続・開放を切り替える第２のモードと、
ユーザのモード指定操作に基づいて、前記第１及び第２のモードを選択的に実行するモード選択制御手段とを備える請求項４記載のヘッドセットインタフェース回路。
【請求項６】
互いに種類が異なる複数のヘッドセットを選択的に接続する接続手段と、
互いに増幅度が異なり、前記接続手段に接続されるヘッドセットの送話器からの出力信号を選択的に増幅して供給する複数の増幅器と、
前記電源電圧以下の電圧で動作するコンパレータにて前記ヘッドセットの送話器の動作電流を検出する検出手段と、
この検出手段による検出結果に基づいて、前記増幅器を切り替える増幅器切替手段とを具備する電話機。
【請求項７】
前記複数のヘッドセットに対応して、前記ヘッドセットの送話器の動作電流に対し前記電源からのノイズ混入を防止する複数のデカップリングコンデンサと、
前記検出手段による検出結果に基づいて、前記複数のデカップリングコンデンサを切り替えるデカップリング切替手段とをさらに備える請求項６記載の電話機。
【請求項８】
前記デカップリング切替手段は、
前記検出手段による検出結果に基づいて、自動的に前記複数のデカップリングコンデンサを切り替える第１のモードと、
前記検出手段による検出結果をユーザに報知し、この報知に対しユーザが切替指示を入力した場合に前記複数のデカップリングコンデンサを切り替える第２のモードと、
ユーザのモード指定操作に基づいて、前記第１及び第２のモードを選択的に実行するモード選択制御手段とを備える請求項７記載の電話機。
【請求項９】
前記複数の増幅器のうち最高の増幅度の増幅器の入力端に接続され、前記ヘッドセットの送話器の動作電流に対し前記ハンドセットからの信号ノイズ混入を低減するバランス回路と、
前記検出手段による検出結果に基づいて、前記増幅器の入力端と前記バランス回路との接続・開放を切り替えるバランス切替手段とをさらに備える請求項６記載の電話機。
【請求項１０】
前記バランス切替手段は、
前記検出手段による検出結果に基づいて、自動的に前記増幅器の入力端と前記バランス回路との接続・開放を切り替える第１のモードと、
前記検出手段による検出結果をユーザに報知し、この報知に対しユーザが切替指示を入力した場合に前記増幅器の入力端と前記バランス回路との接続・開放を切り替える第２のモードと、
ユーザのモード指定操作に基づいて、前記第１及び第２のモードを選択的に実行するモード選択制御手段とを備える請求項９記載の電話機。
【手続補正書】
【提出日】平成23年4月25日(2011.4.25)
【手続補正２】
【補正対象書類名】特許請求の範囲
【補正対象項目名】全文
【補正方法】変更
【補正の内容】
【特許請求の範囲】
【請求項１】
所定の電源電圧で動作しハンドセットにより通話を行なうための通信機器に対し、互いに種類が異なる複数のヘッドセットを選択的に接続する接続手段と、
互いに増幅度が異なり、前記通信機器に対し前記接続手段に接続されるヘッドセットの送話器からの出力信号を選択的に増幅して供給する複数の増幅器と、
前記電源電圧以下の電圧で動作するコンパレータにて前記ヘッドセットの送話器の動作電流を検出する検出手段と、
前記ヘッドセットの送話器の動作電流に対し前記電源からのノイズ混入を防止する複数のデカップリングコンデンサと、
前記検出手段による検出結果に基づいて、前記複数のデカップリングコンデンサを切り替えるデカップリング切替手段と、
前記検出手段による検出結果に基づいて、前記増幅器を切り替える増幅器切替手段とを具備するヘッドセットインタフェース回路。
【請求項２】
前記デカップリング切替手段は、
前記検出手段による検出結果に基づいて、自動的に前記複数のデカップリングコンデンサを切り替える第１のモードと、
前記検出手段による検出結果をユーザに報知し、この報知に対しユーザが切替指示を入力した場合に前記複数のデカップリングコンデンサを切り替える第２のモードと、
ユーザのモード指定操作に基づいて、前記第１及び第２のモードを選択的に実行するモード選択制御手段とを備える請求項１記載のヘッドセットインタフェース回路。
【請求項３】
前記複数の増幅器のうち最高の増幅度の増幅器の入力端に接続され、前記ヘッドセットの送話器の動作電流に対し前記ハンドセットからの信号ノイズ混入を低減するバランス回路と、
前記検出手段による検出結果に基づいて、前記増幅器の入力端と前記バランス回路との接続・開放を切り替えるバランス切替手段とをさらに備える請求項１記載のヘッドセットインタフェース回路。
【請求項４】
前記バランス切替手段は、
前記検出手段による検出結果に基づいて、自動的に前記増幅器の入力端と前記バランス回路との接続・開放を切り替える第１のモードと、
前記検出手段による検出結果をユーザに報知し、この報知に対しユーザが切替指示を入力した場合に前記増幅器の入力端と前記バランス回路との接続・開放を切り替える第２のモードと、
ユーザのモード指定操作に基づいて、前記第１及び第２のモードを選択的に実行するモード選択制御手段とを備える請求項３記載のヘッドセットインタフェース回路。
【請求項５】
所定の電源電圧で動作する通信機器において、
互いに種類が異なる複数のヘッドセットを選択的に接続する接続手段と、
互いに増幅度が異なり、前記接続手段に接続されるヘッドセットの送話器からの出力信号を選択的に増幅して供給する複数の増幅器と、
前記電源電圧以下の電圧で動作するコンパレータにて前記ヘッドセットの送話器の動作電流を検出する検出手段と、
前記ヘッドセットの送話器の動作電流に対し前記電源からのノイズ混入を防止する複数のデカップリングコンデンサと、
前記検出手段による検出結果に基づいて、前記複数のデカップリングコンデンサを切り替えるデカップリング切替手段と
前記検出手段による検出結果に基づいて、前記増幅器を切り替える増幅器切替手段とを具備する通信機器。
【請求項６】
前記デカップリング切替手段は、
前記検出手段による検出結果に基づいて、自動的に前記複数のデカップリングコンデンサを切り替える第１のモードと、
前記検出手段による検出結果をユーザに報知し、この報知に対しユーザが切替指示を入力した場合に前記複数のデカップリングコンデンサを切り替える第２のモードと、
ユーザのモード指定操作に基づいて、前記第１及び第２のモードを選択的に実行するモード選択制御手段とを備える請求項５記載の通信機器。
【請求項７】
さらに、通話を行うためのハンドセットと、
前記複数の増幅器のうち最高の増幅度の増幅器の入力端に接続され、前記ヘッドセットの送話器の動作電流に対し前記ハンドセットからの信号ノイズ混入を低減するバランス回路と、
前記検出手段による検出結果に基づいて、前記増幅器の入力端と前記バランス回路との接続・開放を切り替えるバランス切替手段とをさらに備える請求項５記載の通信機器。
【請求項８】
前記バランス切替手段は、
前記検出手段による検出結果に基づいて、自動的に前記増幅器の入力端と前記バランス回路との接続・開放を切り替える第１のモードと、
前記検出手段による検出結果をユーザに報知し、この報知に対しユーザが切替指示を入力した場合に前記増幅器の入力端と前記バランス回路との接続・開放を切り替える第２のモードと、
ユーザのモード指定操作に基づいて、前記第１及び第２のモードを選択的に実行するモード選択制御手段とを備える請求項７記載の通信機器。